(57)【特許請求の範囲】
【請求項１】
複数のオーディオデータとしてのコンテンツを格納することができる格納手段と、
オーディオデータとしてのコンテンツを記録できるとともにダビング日時情報を記録できる記録媒体が装填された際に、その記録媒体に記録されている前記ダビング日時情報を読み出すことのできる読出手段と、
前記読出手段によって読み出された前記ダビング日時情報を基準として、前記格納手段に格納されているコンテンツのリストアップを行い、リストアップされたコンテンツを提示する提示手段と、
前記提示手段で提示されたコンテンツのうちで選択されたコンテンツを前記格納手段から読み出して出力するデータ供給手段と、
前記データ供給手段から供給されたコンテンツを前記記録媒体に記録するとともに、その記録動作に応じて前記記録媒体に記録されているダビング日時情報を更新することのできる記録手段と、
を備えたことを特徴とするオーディオダビング装置。
【請求項２】
装填された記録媒体に前記ダビング日時情報が記録されていなかった場合は、前記記録手段は、前記格納手段に格納されているコンテンツのうちで選択されて前記データ供給手段から供給されたコンテンツを前記記録媒体に記録する際に、その記録動作に応じて前記記録媒体にダビング日時情報を書き込むことを特徴とする請求項１に記載のオーディオダビング装置。
【請求項３】
複数のオーディオデータとしてのコンテンツ、及び識別コード情報と対応してダビング履歴情報を格納することのできる格納手段と、
オーディオデータとしてのコンテンツを記録できるとともに識別コード情報を記録できる記録媒体が装填された際に、その記録媒体に記録されている前記識別コード情報を読み出すことのできる読出手段と、
前記読出手段によって読み出された前記識別コード情報に基づいて前記格納手段に格納されているダビング履歴情報を検索し、検索されたダビング履歴情報を基準として、前記格納手段に格納されているコンテンツのリストアップを行い、リストアップされたコンテンツを提示する提示手段と、
前記提示手段で提示されたコンテンツのうちで選択されたコンテンツを前記格納手段から読み出して出力するデータ供給手段と、
前記データ供給手段から供給されたコンテンツを前記記録媒体に記録する記録手段と、
前記記録手段でのコンテンツの記録動作に応じて、前記格納手段に格納されているダビング履歴情報の更新を行う履歴更新手段と、
を備えたことを特徴とするオーディオダビング装置。
【請求項４】
前記読出手段によって読み出された識別コード情報に対応したダビング履歴情報が前記格納手段に格納されてされていなかった場合、もしくは前記読出手段によって識別コード情報が読み出せなかった場合は、前記格納手段に格納されているコンテンツのうちで選択されて前記データ供給手段から供給されたコンテンツを前記記録手段が前記記録媒体に記録する動作に応じて、前記履歴更新手段が、識別コード情報に対応したダビング履歴情報を生成して、もしくは識別コード情報とその識別コード情報に対応したダビング履歴情報を生成して、前記格納手段に格納させることを特徴とする請求項３に記載のオーディオダビング装置。
【請求項５】
前記識別コード情報は、記録媒体もしくは使用者に対して固有となるコードとされることを特徴とする請求項３に記載のオーディオダビング装置。
【発明の詳細な説明】
【０００１】
【発明の属する技術分野】
本発明は所定の記録媒体に対してオーディオデータとしてのコンテンツのダビング記録を行うオーディオダビング装置に関するものである。
【０００２】
【従来の技術】
記録及び再生が可能な記録媒体として、カートリッジ内に収納される直径約６４ｍｍのディスク状の記録媒体である、ミニディスク（商標）と呼ばれる光磁気ディスクが知られている。
この光磁気ディスクは、音声圧縮方式としてオーディオ用適応変化符号化方式（ＡＴＲＡＣ：Adaptive Transform Acoustic Coding方式）を用いてステレオで約７４分のオーディオデータを記録することができる。
そして、このような光磁気ディスクは、小型で携帯性に富むことから屋外に持ち出すことが容易である。また、この光磁気ディスクは、従来のいわゆるコンパクトディスク（商標）と呼ばれるデジタルオーディオディスクと異なり記録が行えることから、オーディオデータの複製をすることができる。
【０００３】
【発明が解決しようとする課題】
ところで、光磁気ディスクに対して約１／５に圧縮したオーディオデータを記録するため、圧縮したオーディオデータ（ＡＴＲＡＣデータ）としての楽曲等をコンテンツとしてサーバに格納しておき、なんらデコーダやエンコーダを介さずこのデータを記録するオーディオダビング装置が考えられる。
このようなオーディオダビング装置を考えたとき、その記録時間は、圧縮データをそのまま記録するため、オーディオデータを音声で再生しながら記録するのに比較して短くなる。
【０００４】
そしてユーザーが持参した光磁気ディスクをこのオーディオダビング装置に装填し、サーバ内にオーディオデータコンテンツとして記録されている複数の曲の中から１または数曲を選択してダビングを行うことができるようにすることで、楽曲の新たな販売形態を実現できる。
【０００５】
ところが、このようなシステムの利用を考えると、多様なユーザーの需要や、新曲としてリリースされる楽曲の数の多さ、音楽ジャンルの多様化などにより、サーバ内には非常に多数の楽曲（コンテンツ）を格納しておき、さらに随時追加していくことが必要になる。
ここで一般ユーザーは、自分の所有するディスクをオーディオダビング装置に装填して所望の楽曲（コンテンツ）をダビング（即ち購入）しようとするときには、サーバに格納されている非常に多数のコンテンツの中から所望の１曲又は数曲を選択しなければならない。
このため、ユーザーにとってはダビングの際のコンテンツ選択操作が複雑になり、所望のコンテンツを選択するために選択メニュー画面から何段階も階層をたどっていくことが必要であったり、場合によってはなかなか所望のコンテンツを探し出せないといったことが生ずる。
【０００６】
【課題を解決するための手段】
本発明はこのような実情を鑑みてなされたものであり、オーディオデータコンテンツとしての情報の販売等を行うことのできるオーディオダビング装置において、ダビングすべきコンテンツをユーザーが容易に選択できるようにすることを目的とする。
【０００７】
このためにオーディオダビング装置として、複数のオーディオデータとしてのコンテンツを格納することができる格納手段と、オーディオデータとしてのコンテンツを記録できるとともにダビング日時情報を記録できる記録媒体が装填された際に、その記録媒体に記録されているダビング日時情報を読み出すことのできる読出手段と、この読出手段によって読み出されたダビング日時情報を基準として、格納手段に格納されているコンテンツのリストアップを行い、リストアップされたコンテンツを提示する提示手段と、提示手段で提示されたコンテンツのうちで選択されたコンテンツを格納手段から読み出して出力するデータ供給手段と、データ供給手段から供給されたコンテンツを記録媒体に記録するとともに、その記録動作に応じて記録媒体に記録されているダビング日時情報を更新することのできる記録手段とを備えるようにする。
ユーザーの所有する記録媒体に対して過去のダビング日時情報が記録されている場合（即ちダビング動作のたびにダビング日時情報を書き込んでおく場合）、そのユーザーは今回のダビング動作以前において、そのダビング日時情報で示される日時においてダビングを行なったということが判別できるため、例えばユーザーが新譜としてのコンテンツを新たにダビングしたいと希望した場合などは、そのダビング日時情報で示される日時以降の新譜コンテンツを提示すれば、ユーザーが希望する楽曲を予めある程度絞り込んだ状態で提示して選択を促すことができる。
【０００８】
また本発明のオーディオダビング装置として、複数のオーディオデータとしてのコンテンツ、及び識別コード情報と対応してダビング履歴情報を格納することのできる格納手段と、オーディオデータとしてのコンテンツを記録できるとともに識別コード情報を記録できる記録媒体が装填された際に、その記録媒体に記録されている識別コード情報を読み出すことのできる読出手段と、読出手段によって読み出された識別コード情報に基づいて格納手段に格納されているダビング履歴情報を検索し、検索されたダビング履歴情報を基準として、格納手段に格納されているコンテンツのリストアップを行い、リストアップされたコンテンツを提示する提示手段と、提示手段で提示されたコンテンツのうちで選択されたコンテンツを格納手段から読み出して出力するデータ供給手段と、データ供給手段から供給されたコンテンツを記録媒体に記録する記録手段と、記録手段でのコンテンツの記録動作に応じて、格納手段に格納されているダビング履歴情報の更新を行う履歴更新手段とを備えるようにする。
即ち格納手段にはコンテンツとともに、識別コード（ユーザーもしくはユーザーの所有する記録媒体に固有のコード）に対応して、過去のダビング履歴情報を保持しており、各ユーザーの嗜好（好みのジャンルやアーティストなど）をある程度判別できるようにしておく。するとダビングの際には、そのダビング履歴情報に基づいて、そのユーザーにとっての好み等に該当するコンテンツを絞り込んで提示して選択を促すことができる。
【０００９】
【発明の実施の形態】
以下、本発明の実施の形態として、ミニディスクシステムを利用して構成されるオーディオダビング装置について、次の順序で説明する。
１．オーディオダビング装置の構成
２．ミニディスクのクラスタフォーマット
３．ミニディスクのエリア構造
４．Ｕ−ＴＯＣ
５．ダビング日時情報による処理
６．ディスクＩＤによる処理
７．ネットワークを用いたオーディオダビング装置
【００１０】
１．オーディオダビング装置の構成
図１に実施の形態であるオーディオダビング装置の構成を示す。
オーディオダビング装置１は、オーディオダビング動作を行うための基本的な部位として、オーディオ送信部１０と記録部２０を備える。
オーディオ送信部１０は、メインコントローラ１１、サーバ１２、操作入力部１３、表示部１４等を有する。
また記録部２０は、可搬性の記録媒体であるディスクＤにオーディオデータを記録する機能を有する。
オーディオ送信部１０と記録部２０は接続ケーブル２により接続される。
【００１１】
このオーディオダビング装置１は、オーディオ送信部１０のサーバ１２にオーディオデータとしてのコンテンツを予め格納しておき、このサーバ１２に格納してあるコンテンツの中からユーザが所望のコンテンツを選択し、例えばユーザーの所有するディスクＤに記録するものである。
【００１２】
すなわち、このオーディオダビング装置１は、いわゆるコンパクトディスクやオーディオテープのような媒体等にオーディオデータを格納した形態でコンテンツ（楽曲等）を提供せずに、ユーザの所有する記録媒体（ディスクＤ）に対してオーディオデータを記録してユーザーに音楽等のコンテンツを提供するシステムである。例えば、駅、店頭等にオーディオダビング装置１を設置して、音楽のコンテンツをユーザーに有料もしくは無料で提供したり、また、音楽スタジオ等にオーディオダビング装置１を設置してコンテンツ管理に用いたりすることができる。
【００１３】
まず、このオーディオダビング装置１のサーバ１２には、オーディオデータとして１曲数分程度の音楽のコンテンツ、例えば最新のヒットチャート内のトップ１００までの音楽のコンテンツや、新しくリリースされた新譜としての多数の音楽のコンテンツ等が格納してある。もちろんポップス、ロック、クラシック、ジャズなどの多様な音楽ジャンルや多数のアーティストにわたって多数の曲を格納できる。
各コンテンツは前述したＡＴＲＡＣ方式による圧縮データとして記録されている。
【００１４】
ユーザーは、このオーディオダビング装置１により提供されるコンテンツを表示部１４により確認し、希望するコンテンツがある場合は、操作入力部１３を用いて１又は複数のコンテンツを選択する。そして、ユーザーは自己の所有するディスクＤを記録部２０に装填し、操作入力部１３を用いて記録開始の操作を行う。
【００１５】
ユーザーにより記録開始の操作が行われるとオーディオ送信部１０のメインコントローラ１１は、サーバ１２に格納してあるコンテンツのうち、所定のコンテンツのオーディオデータを記録部２０に供給する。
記録部２０は、オーディオ送信部１０から供給されたオーディオデータをディスクＤの空き領域に記録する。
そしてオーディオダビング装置１は、ディスクＤにユーザが希望するコンテンツのオーディオデータの記録が終了すると、コンテンツの提供を完了させる。
【００１６】
本例ではディスクＤをミニディスクシステムにおけるディスクであるとし、データ量が約１／５に圧縮したＡＴＲＡＣオーディオデータを記録するとする。従ってサーバ１２に格納されたＡＴＲＡＣ方式のオーディオデータは、圧縮／伸長のためのデコード処理やエンコード処理を介さずに、サーバ１２からディスクＤにダビング記録することができ、そのダビング記録のために要する時間は、圧縮データをそのまま記録するため、オーディオデータを音声で再生しながら記録するのに比較して短くなる。
【００１７】
このオーディオダビング装置１にはさらに図示するように、再生部４１、関連情報再生部４６、通信用インターフェース４４、光ディスクドライブ４５が設けられる。
再生部４１はデコーダ４２，再生処理回路４３等を有する。
関連情報再生部４６はプリンタ装置４７，ディスプレイ４８，スピーカ４９等を有する。
【００１８】
このオーディオダビング装置１は、オーディオデータのディスクＤへのダビング動作を行うとともに、これらの再生部４１、関連情報再生部４６、通信用インターフェース４４、光ディスクドライブ４５を用いて多様な動作を行うことができる。
例えばディスクＤに記録するオーディオデータを再生部４１により再生してスピーカ或いはヘッドフォンに出力し、また、記録するオーディオデータの関連情報を関連情報再生部４６から出力する。
【００１９】
再生部４１においては、デコーダ４２は、メインコントローラ１１から供給されるＡＴＲＡＣデータを伸張し、オーディオデータを生成する。このオーディオデータは、デコーダ４２から再生処理回路４３に供給される。
再生処理回路４３は、デジタル信号をアナログ信号に変換する処理や増幅処理等を行い、アナログのオーディオ信号を生成する。再生処理回路４３により生成されたアナログのオーディオ信号は、スピーカ又はへッドフォン等に供給され、音声として出力される。この再生部４１により、例えばダビングしているオーディオデータのユーザーに対するモニタ音声等としての音声出力が可能となる。
【００２０】
通信用インターフェース４４は、例えばモデムやＩＳＤＮ(Integrated Services Digital Network) 回線用のターミナルアダプタ等である。メインコントローラ１１は、この通信用インターフェース４４を介して、インターネットのＷＷＷ(World Wide Web)サイトから画像情報や音声情報、テキスト情報等を取得することができる。
【００２１】
光ディスクドライブ装置４５は、いわゆるビデオＣＤやＣＤ−ＲＯＭ又はＤＶＤといわれる光ディスク等を再生する装置である。
メインコントローラ１１は、この光ディスクドライブ装置４５によって、ＣＤ−ＲＯＭ等に記録された画像情報や音声情報、テキスト情報等を取得することができる。
【００２２】
関連情報再生部４６のプリンタ装置４７は、メインコントローラ１１から供給される画像情報やテキスト情報をプリントアウトする。
ディスプレイ４８は、メインコントローラ１１から供給される画像情報やテキスト情報を表示する。なお、このディスプレイ４８は、オーディオ送信部１０の表示部１４と共通のものであってもよい。
スピーカ４９は、メインコントローラ１１から供給される音声情報を出力する。なお、このスピーカ４９は、再生部４１から出力するオーディオ信号を出力するスピーカやへッドフォンと共通のものであってもよい。
【００２３】
サーバ１２には、上述したように複数のコンテンツのＡＴＲＡＣデータが格納してある。
また、サーバ１２には、各コンテンツに対応して、記録部２０に供給するＡＴＲＡＣデータの内、再生部４１に供給して記録時に再生音を出力する部分を示したリストを格納している。
【００２４】
また、サーバ１２には、各コンテンツに対応して、図８で後述するように関連データとしての各種情報、例えばそのコンテンツのリリース日（サーバ１２に格納されて一般ユーザーへの提供が開始された日）、曲名、アーティスト名、アーティストの写真やそのトラックのイメージ画像などの画像データ、そのコンテンツとしての楽曲の歌詞や、アーティストの履歴を示したテキストデータ等を格納している。さらに付随情報として、コンテンツに対応するアーティストの写真や動画像がビデオＣＤやインターネット上のホームページにある場合は、ビデオＣＤのチャプタ番号や、ホームページアドレス等の情報を格納している。
即ちメインコントローラ１１は各コンテンツに関して関連情報として画像情報、文字情報を得ることができ、これらを関連情報再生部から、印刷、表示、音声等の形態で出力し、ユーザーに対して提供できる。
【００２５】
例えば１つのコンテンツとしてＡＴＲＡＣデータとともにサーバ１２に格納されている文字データや画像データについて、サーバユニット１０のメインコントローラ１１は、そのファイルをサーバ１２から取得して、関連情報再生部４６のプリンタ装置４７或いはディスプレイ４８に供給する。画像データが供給されると、関連情報再生部４６のプリンタ装置４７は、例えばユーザの操作に基づき、画像データを紙に印刷してユーザーに提供する。また、画像データが供給されると、関連情報再生部４６のディスプレイ４８は、例えばユーザーの操作に基づき、その画像データを表示する。
【００２６】
また、ＷＷＷサーバのアドレスであるＵＲＬ(Uniform Resource Locator)がある場合は、サーバユニット１０のメインコントローラ１１は、通信用インターフェース４４を介してホームページ等からこの関連情報を取得して、関連情報再生部４６のプリンタ装置４７、ディスプレイ４８、スピーカ４９に供給する。ＷＷＷサーバの情報が供給されると、関連情報再生部４６のプリンタ装置４７、ディスプレイ４８等は、ユーザの操作に基づき、動画像、静止画像、音声、文字情報等を出力する。
【００２７】
またメインコントローラ１１は、上述したようにユーザーにより選択されたトラックをディスクＤに記録するため、ＡＴＲＡＣデータをサーバ１２から読み出して、記録部２０に供給する際に、その記録部２０に供給するトラックのＡＴＲＡＣデータの内、所定部分のＡＴＲＡＣデータを再生部４１に供給する。これは、記録部２０がＡＴＲＡＣデータの記録をしている間、この記録されているトラックをユーザーが聞くことができるようにするためである。
ただしＡＴＲＡＣデータは、約１／５程度に信号圧縮されているため、記録している間にそのトラックの再生を行なおうとすると、時間的に全てのデータを再生することができない。そこで、メインコントローラ１１は、記録するＡＴＲＡＣデータの一部分を切り出して、再生部４１に供給している。
【００２８】
再生部４１に供給するＡＴＲＡＣデータは、例えば、曲の冒頭部分、いわゆるさびの部分、曲の終了部分等を切り出した分であり、この切り出した部分を予めサーバ１２に設定しておく。また、記録するＡＴＲＡＣデータとは直接的に関係ないデータを再生部４１に供給して音声出力してもよい。例えば、記録するトラックのアーティストの他の曲などとする例である。
【００２９】
以上のように、オーディオダビング装置１では、ディスクＤにＡＴＲＡＣデータをダウンロードしている最中に、予めサーバ１２に格納してある画像、音声、及びテキストデータや、伝送媒体を介してインターネット等のネットワークから取得した関連情報をディスプレイ４８に表示したり、プリンタ装置４７でプリントしたりしてユーザーに提供できる。
【００３０】
つぎに図２で記録部２０の構成及びオーデイオダビングシステム１のダビング動作について説明する。
図２に示すように記録部２０は、オーディオ送信部１０からデータが供給された際にそのオーディオデータを格納するバッファメモリ２２（ＲＡＭ）と、バッファメモリ２２での書込／読出動作を制御するメモリコントローラ２１と、データを復号及び符号化するエンコード・デコード回路２３と、磁気ヘッド２５を駆動する磁気ヘッド駆動回路２４と、ディスクＤにレーザを照射するとともに反射光を検出する光ピックアップ２６と、このピックアップ２６から検出した反射光からフォーカスエラー信号（ＦＥ），トラッキングエラ−信号（ＴＥ），光磁気再生信号（ＭＯ）を再生するＲＦアンプ２７と、ＲＦアンプ２７からのプッシュプル信号（ＰＰ）に基づき光ディスクの案内溝に形成されているグルーブウォブルに応じた信号を再生し絶対アドレスをデコードするアドレスデコーダ２８と、ディスクＤを回転駆動させるスピンドルモータ２９と、光ピックアップ２６をディスクＤの半径方向に駆動させるスレッド機構３０とを備える。
【００３１】
さらに記録部２０は、ＲＦアンプ２７からのフォーカスエラー信号（ＦＥ），トラッキングエラ−信号（ＴＥ）等に基づき、フォーカスサーボ，トラッキングサーボ，スレッドサーボ，スピンドルサーボ等を制御するサーボ回路３１と、メモリコントローラ２１，エンコード・デコード回路２３，サーボ回路３１等を制御して全体的な動作制御を行うシステムコントローラ３２とを備える。
【００３２】
光ピックアップ２６は、レーザダイオードから対物レンズを介して光ディスクＤにレーザを出射する。また光ピックアップ２６は、ディスクＤからの反射光をフォトディテクタにより検出して、検出電流をＲＦアンプ２７に供給する。
ＲＦアンプ２７は、光ピックアップ２６からの検出電流に基づき、フォーカスエラー信号（ＦＥ），トラッキングエラ−信号（ＴＥ），光磁気再生信号（ＭＯ），プッシュプル信号（ＰＰ）を生成する。
ＲＦアンプ２７は、生成したフォーカスエラー信号（ＦＥ）、トラッキングエラ−信号（ＴＥ）をサーボ回路３０に供給し、プッシュプル信号（ＰＰ）をアドレスデコーダ２８に供給し、光磁気再生信号（ＭＯ）をエンコード・デコード回路２３に供給する。
【００３３】
サーボ回路３１は、供給されたフォーカスエラー信号（ＦＥ），トラッキングエラ−信号（ＴＥ）に基づき、光ピックアップ２６の２軸機構を介して対物レンズを駆動し、光磁気ディスクに出射するレーザのトラッキング及びフォーカスのサーボ制御を行う。
また、サーボ回路３１は、トラッキングエラ−信号（ＴＥ）に基づき、スレッド機構３０を駆動し、光ピックアップ２６をディスクＤの半径方向に駆動するスレッドサーボ制御を行う。
また、サーボ回路３１は、図示しないディスクＤの回転検出回路からのスピンドルエラー信号に基づき、ディスクＤを線速一定（ＣＬＶ）になるようにスピンドルモータ２９を駆動するスピンドルサーボ制御を行う。
【００３４】
アドレスデコーダ２８は、光ディスクＤの案内溝に形成されているウォブリンググルーブに応じたいわゆるウォブル信号（プッシュプル信号ＰＰ）からアドレス情報を再生する。
【００３５】
エンコード・デコード回路２３は、ディスクＤからの再生信号処理として、ＲＦアンプ２７から供給される光磁気再生信号（ＭＯ）を２値化して、ＥＦＭ(eigft to fourteen modulation)方式で復調を行い、さらに、ＣＩＲＣ(cross interleaved Read Solomon coding) 方式でエラー訂正のデコード処理を行う。また、エンコード・デコード回路２３は、ディスクＤへの記録信号処理として、メモリコントローラ２１から供給される記録信号にＣＩＲＣ方式でエラー訂正符号を付加し、さらにＥＦＭ方式で変調を行って磁気ヘッド駆動回路２４に記録信号を供給する。
【００３６】
磁気ヘッド駆動回路２４は、エンコード・デコード回路２３からの記録信号に基づき磁気へッド２５を駆動し、ディスクＤに対して変調磁界に印加して信号を記録する。
またこの記録動作の際、光ピックアップ２６は、磁気ヘッド２５による磁界情報がディスク記録面に保持されるようにするため高レベルのレーザ出力を行う。
【００３７】
メモリコントローラ２１は、バッファメモリ２２に記憶させるＡＴＲＡＣデータを制御する。このメモリコントローラ２１は、オーディオ送信部１０から供給されるＡＴＲＡＣデータを一時バッファメモリ２２に格納した後、エンコード・デコード回路２３に供給する。
【００３８】
システムコントローラ３２は、この記録部２０全体の制御を行い、例えば、メモリコントローラ２１，エンコード・デコード回路２３，サーボ回路３１等を制御することでオーディオデータのディスクＤへの記録動作又はディスクＤからの再生動作を実行させる。。
また、システムコントローラ３２は、オーディオ送信部１０と制御データのやりとりを行う各回路の制御を行う。
【００３９】
以上の構成を有することにより、オーディオダビング装置１の記録部２０は、オーデイオ送信部１０から送信されたＡＴＲＡＣデータをディスクＤに記録することができる。
【００４０】
このオーディオダビング装置１では、オーディオ送信部１０と記録部２０とを接続する接続ケーブル２が設けられておリ、この接続ケーブル２は、オーディオ送信部１０から記録部２０に供給するＡＴＲＡＣデータが伝送されるＡＴＲＡＣライン２ａと、記録部２０からオーディオ送信部１０に供給するＡＴＲＡＣデータの要求信号(Data Req)等、各種の制御情報が伝送される制御ライン２ｂとを有している。
【００４１】
ＡＴＲＡＣライン２ａにより、サーバ１２に格納されているコンテンツとしてのＡＴＲＡＣデータがオーディオ送信部１０のメインコントローラ１１から記録部２０のメモリコントローラ２１に伝送される。
なお、伝送されるＡＴＲＡＣデータは、記録部２０のバッファメモリ２２の容量に応じて、所定量単位毎に伝送される。
また、制御ライン２ｂにより、記録部２０のシステムコントローラ３２からオーディオ送信部１０のメインコントローラ１１に対してＡＴＲＡＣデータの要求を示す要求信号(Data Req)が伝送される。すなわちＡＴＲＡＣデータが所定容量単位で伝送されるため、記録部２０は、すでに伝送済みでバッファメモリ２２に読み込んであるＡＴＲＡＣデータをディスクＤに全て書き込んだ場合は、この要求信号(Data Req)をオーディオ送信部１０に供給して次のデータの要求をする。
【００４２】
このようにオーディオダビング装置１では、記録部２０がオーディオ送信部１０へのＡＴＲＡＣデータの要求信号(Data Req)を供給し、それに応じてオーディオ送信部１０がＡＴＲＡＣデ−タの記録部２０への送信を行なうことにより、ディスクＤに対するＡＴＲＡＣデータのダビング記録が行われる。
【００４３】
また、制御ライン２ｂにより、オーディオ送信部１０から記録部２０に供給する制御コマンドやＴＯＣ情報等の各コマンドデータも伝送される。
即ちオーデイオ送信部１０のメインコントローラ１１が生成するＴＯＣ情報や、各コンテンツのＡＴＲＡＣデータのデータサイズ等のコマンドデータが記録部２０のシステムコントローラ３２に供給される。
【００４４】
本来であれば、ＴＯＣ情報（後述するＵ−ＴＯＣセクター０の情報等）は、記録部２０側が、実行した記録動作に基づいて独自に生成し、ディスクＤに対して記録する。ところが、例えば複数のコンテンツのＡＴＲＡＣデータがオーディオ送信部１０から供給された場合に、記録部２０に対してはそれらが１つのデータストリームとして供給されるため、記録部２０はＵ−ＴＯＣセクター０のトラック情報を正確に生成することができない。
従って、オーディオ送信部１０から、ＴＯＣ情報や各コンテンツに対応するデータのストリーム長を示すデータサイズとトラックモードを供給するようにし、記録部２０がこのＴＯＣ情報等に基づき、ディスクＤに記録するＵ−ＴＯＣセクター０の情報を生成してディスクＤに記録するようにしている。
【００４５】
ところでディスクＤに記録されているオーディオデータ以外の各種の管理情報について、オーディオ送信部１０のメインコントローラ１１がダビング動作に際して確認しなければならない情報が各種ある。
例えばＵ−ＴＯＣデータによるディスクＤの空き容量や記録されているトラック（コンテンツ）などの情報があり、これらをダビング動作の実行に際して確認する必要がある。
さらには、詳しくは後述するが、本例ではディスクＤにダビング履歴情報として過去のダビング日時の情報や、ディスクＩＤとしてディスクＤに固有のコード（もしくはユーザーに固有のコードでもよい）が記録されている場合がある。
このため、システムコントローラ３２は、装填されたディスクＤからこれらの必要な情報を読み出してメインコントローラ１１に転送することになり、この際に制御ライン２ｂが用いられてデータの転送が行われることになる。
【００４６】
２．ミニディスクのクラスタフォーマット
ここで、このオーディオダビング装置１で取り扱う記録媒体（ディスクＤ）として、いわゆるミニディスク（商標）と呼ばれるフォーマットに規定された記録再生が可能な光磁気ディスクについて説明する。
【００４７】
本例においてディスクＤとして用いられる、ミニディスクと呼ばれる光磁気ディスクは、カートリッジ内に収納された直径約６４ｍｍの円盤状の記録媒体であり、音声圧縮方式としてオーディオ用適応変化符号化方式、すなわち、ＡＴＲＡＣ (Adaptive Transform Acoustic Coding) 方式を用いてステレオで約７４分のオーディオデータを記録することができる。
【００４８】
また、オーディオダビング装置１は、ＡＴＲＡＣ方式で圧縮したオーディオデータをディスクＤに記録することから、サーバ１２に格納するコンテンツのオーディオデータを予めＡＴＲＡＣ方式で圧縮しておき、このＡＴＲＡＣ方式で圧縮してあるオーディオデータをデコーダ及びエンコーダを介さず直接光ディスクＤに記録する（以下、このＡＴＲＡＣ方式で圧縮したオーディオデータをＡＴＲＡＣデータという）。従って上記のように、オーディオ送信部１０から記録部２０にオーディオデータを伝送する接続ケーブル２は、ＡＴＲＡＣデータを伝送することとなる。
【００４９】
ディスクＤに記録されるデータは、クラスタと呼ばれる単位で管理される。ディスクＤは、このクラスタの整数倍でデータの書き込みがされる。即ち図３に示すように、ミニディスクシステムでの記録トラックとしてはクラスタＣＬが連続して形成されており、１クラスタが記録時の最小単位とされる。１クラスタは２〜３周回トラック分に相当し、実再生時間としては２．０４３秒分のデータ量となる。
【００５０】
そして１クラスタＣＬは、セクターＳＣFC〜ＳＣFEとして示す３セクターのリンキングセクターと、セクターＳＣFFとして示す１セクターのサブデータセクターと、セクターＳＣ00〜ＳＣ1Fとして示す３２セクターのメインセクターから形成されている。即ち１クラスタは３６セクターで構成される。
１セクタは２３５２バイトで形成されるデータ単位である。
【００５１】
リンキングセクターＳＣFC〜ＳＣFEは、記録動作の切れ目としての緩衝領域や各種動作調整その他に用いられ、またサブデータセクターＳＣFFは、サブデータとして設定された情報の記録に用いることができる。
そして、ＴＯＣデータ、オーディオデータ等の記録は３２セクターのメインセクターＳＣ00〜ＳＣ1Fに行なわれる。
【００５２】
また、セクターはさらにサウンドグループという単位に細分化され、２セクターが１１サウンドグループに分けられている。
つまり図示するように、セクターＳＣ00などの偶数セクターと、セクターＳＣ01などの奇数セクターの連続する２つのセクターに、サウンドグループＳＧ00〜ＳＧ0Aが含まれる状態となっている。１つのサウンドグループは４２４バイトで形成されており、11.61msec の時間に相当する音声データ量となる。
１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
なお、Ｌチャンネル又はＲチャンネルのデータ領域となる２１２バイトをサウンドフレームとよんでいる。
【００５３】
３．ミニディスクのエリア構造
本例のディスクＤのエリア構造を図４で説明する。
図４（ａ）はディスク最内周側から最外周側までのエリアを示している。
光磁気ディスクとしてのディスクＤは、最内周側はエンボスピットにより再生専用のデータが形成されるピット領域とされており、ここにＰ−ＴＯＣ(Pre-mastered Table of Contents)が記録されている。
ピット領域より外周は光磁気領域とされ、記録トラックの案内溝としてのグルーブが形成された記録再生可能領域となっている。
この光磁気領域の最内周側のクラスタ０〜クラスタ４９までの区間が管理エリアとされ、実際の楽曲等がそれぞれ１つのトラックとして記録されるのは、クラスタ５０〜クラスタ２２５１までのプログラムエリアとなる。プログラムエリアより外周はリードアウトエリアとされている。
【００５４】
管理エリア内を詳しく示したものが図４（ｂ）である。図４（ｂ）は横方向にセクター、縦方向にクラスタを示している。
管理エリアにおいてクラスタ０，１はピット領域との緩衝エリアとされている。クラスタ２はパワーキャリブレーションエリアＰＣＡとされ、レーザー光の出力パワー調整等のために用いられる。
クラスタ３，４，５はＵ−ＴＯＣ(User Table of Contents)が記録される。Ｕ−ＴＯＣの内容について詳しくは後述するが、１つのクラスタ内の３２個の各メインセクター（ＳＣ00〜ＳＣ1F）においてデータフォーマットが規定され、それぞれ所定の管理情報が記録される。即ちプログラムエリアに記録されている各トラックのアドレス、フリーエリアのアドレス等が記録され、また各トラックに付随するトラックネーム、記録日時などの情報が記録できるようにＵ−ＴＯＣセクターが規定されている。
このようなＵ−ＴＯＣデータとなるセクターを有するクラスタが、クラスタ３，４，５に３回繰り返し記録される。
クラスタ４７，４８，４９は、プログラムエリアとの緩衝エリアとされる。
【００５５】
クラスタ５０（＝１６進表記で３２ｈ）以降のプログラムエリアには、１つのクラスタ内の３２個の各メインセクター（ＳＣ00〜ＳＣ1F）において、楽曲等の音声データがＡＴＲＡＣと呼ばれる圧縮形式で記録される。記録される各プログラムや記録可能な領域は、Ｕ−ＴＯＣによって管理される。
なお、プログラム領域における各クラスタにおいて、セクターＳＣFFは、前述したようにサブデータとしての情報の記録に用いることができる。
【００５６】
ところで、図４（ｂ）にはクラスタ６〜クラスタ４６の領域内の或る位置に、斜線部としてエリアｄＤを示している。
後述するように本例の場合、ディスクＤにダビング日時情報やディスクＩＤが記録されることになるが、これらの情報はＵ−ＴＯＣ領域内に記録する例や、Ｕ−ＴＯＣ領域外に記録する例が考えられる。
もしＵ−ＴＯＣ領域外に記録する方式を採用する場合は、例えばエリアｄＤとして或るクラスタ内のあるセクターを用いることができる。もちろんＵ−ＴＯＣ領域内に記録する方式を採用する場合は、このようなエリアｄＤを設ける必要はない。
【００５７】
４．Ｕ−ＴＯＣ
記録部２０が、ディスクＤに対して記録／再生動作を行なう際には、ディスクＤに記録されている管理情報、即ち上記のＰ−ＴＯＣ、Ｕ−ＴＯＣを読み出す必要がある。システムコントローラ３２はこれらの管理情報に応じてディスクＤ上の記録すべきエリアのアドレスや、再生すべきエリアのアドレスを判別することとなる。
システムコントローラ３２はこれらの管理情報を、ディスクＤが装填された際に管理情報の記録されたディスクの最内周側の再生動作を実行させることによって読み出し、バッファメモリ２２に記憶しておき、以後そのディスクＤに対する記録／再生／編集動作の際に参照できるようにしている。また上記のようにメインコントローラ１１にも転送される。
【００５８】
Ｕ−ＴＯＣはデータの記録や各種編集処理に応じて書き換えられるものであるが、システムコントローラ３２は記録／編集動作のたびに、Ｕ−ＴＯＣ更新処理をバッファメモリ２２に記憶されたＵ−ＴＯＣ情報に対して行ない、その書換動作に応じて所定のタイミングでディスクＤのＵ−ＴＯＣエリアについても書き換えるようにしている。
【００５９】
ディスクＤでは、実際の音楽データを書き換えなくても、Ｕ−ＴＯＣの情報を書き換えることにより、曲の消去や編集を行うことができる。例えば、５曲記録されているディスクＤに対して、３曲目のスタートアドレス及びエンドアドレスを消去すれば、３曲自は再生ができなくなる。
換言すれば、ディスクＤにＡＴＲＡＣデータを記録する場合は、このＵ−ＴＯＣ情報も同時に書き換えなけれはならない。
なお、ディスクＤに記録されるオーディオデータのコンテンツを以下「トラック」と称することとする。このトラックは、例えば、曲の単位等であり、上述したオーディオダビング装置１で提供される音楽のコンテンツに対応する単位である。
【００６０】
［Ｕ−ＴＯＣセクター０］
ここで、ディスクＤにおいてトラック（楽曲等）の記録／再生動作などの管理を行なう管理情報として、Ｕ−ＴＯＣセクターについて説明する。
なおＰ−ＴＯＣは図４で説明したようにディスクＤの最内周側のピットエリアに形成されるもので、読出専用の情報である。そして、Ｐ−ＴＯＣによってディスクの記録可能エリア（レコーダブルユーザーエリア）や、リードアウトエリア、Ｕ−ＴＯＣエリアなどの位置の管理等が行なわれる。なお、全てのデータがピット形態で記録されている再生専用の光ディスクでは、Ｐ−ＴＯＣによってＲＯＭ化されて記録されている楽曲の管理も行なうことができるようにされ、Ｕ−ＴＯＣは形成されない。
Ｐ−ＴＯＣについては詳細な説明を省略する。
【００６１】
図５はＵ−ＴＯＣセクター０のフォーマットを示すものである。
なお、Ｕ−ＴＯＣセクターとしてはセクター０〜セクター３２まで設けることができる。即ち上記した１クラスタ内のメインセクターＳＣ00〜ＳＣ1Fに相当して記録されるセクターとなる。
その中で、セクター１，セクター４は文字情報、セクター２は録音日時を記録するエリアとされている。セクター２については後述し、セクター１，セクター４については説明を省略する。
まず最初に、ディスクＤの記録／再生動作に必ず必要となるＵ−ＴＯＣセクター０について説明する。
【００６２】
Ｕ−ＴＯＣセクター０は、主にユーザーが録音を行なった楽曲等のプログラムや新たにプログラムが録音可能なフリーエリアについての管理情報が記録されているデータ領域とされる。
例えばディスクＤに或る楽曲の録音を行なおうとする際には、システムコントローラ３２は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００６３】
図５のＵ−ＴＯＣセクター０のデータ領域（４バイト×588 の２３５２バイト）は、先頭位置にオール０又はオール１の１バイトデータが並んで形成される同期パターンが記録される。
続いてクラスタアドレス(Cluster H) (Cluster L) 及びセクターアドレス(Sector)となるアドレスが３バイトにわたって記録され、さらにモード情報(MODE)が１バイト付加され、以上でヘッダとされる。ここでの３バイトのアドレスは、そのセクター自体のアドレスである。
同期パターンやアドレスが記録されるヘッダ部分については、このＵ−ＴＯＣセクター０に限らず、Ｐ−ＴＯＣセクター、プログラムエリアでのセクターでも同様であり、セクター単位にそのセクター自体のアドレス及び同期パターンが記録されている。
【００６４】
続いて所定バイト位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００６５】
さらに、ユーザーが録音を行なって記録されているトラック（楽曲等）の領域やフリーエリア等を後述するテーブル部に対応させることによって識別するため、ポインタ部として各種のポインタ(P-DFA，P-EMPTY ，P-FRA ，P-TNO1〜P-TNO255) が記録される領域が用意されている。
【００６６】
そしてポインタ(P-DFA〜P-TNO255) に対応させることになるテーブル部として(01h) 〜(FFh) までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。なおパーツとは１つのトラック内で時間的に連続したデータが物理的に連続して記録されているトラック部分のことをいう。
そしてスタートアドレス、エンドアドレスとして示されるアドレスは、１つの楽曲（トラック）を構成する１又は複数の各パーツを示すアドレスとなる。
これらのアドレスは短縮形で記録され、クラスタ、セクター、サウンドグループを指定する。
【００６７】
この種の記録再生装置では、１つの楽曲（プログラム／トラック）のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００６８】
そのため、リンク情報が設けられ、例えば各パーツテーブルに与えられたナンバ(01h) 〜(FFh) によって、連結すべきパーツテーブルを指定することによってパーツテーブルが連結できるようになされている。
つまりＵ−ＴＯＣセクター０におけるテーブル部においては、１つのパーツテーブルは１つのパーツを表現しており、例えば３つのパーツが連結されて構成される楽曲についてはリンク情報によって連結される３つのパーツテーブルによって、そのパーツ位置の管理が行われる。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
【００６９】
Ｕ−ＴＯＣセクター０のテーブル部における(01h) 〜(FFh) までの各パーツテーブルは、ポインタ部におけるポインタ(P-DFA，P-EMPTY ，P-FRA ，P-TNO1〜P-TNO255) によって、以下のようにそのパーツの内容が示される。
【００７０】
ポインタP-DFA は光磁気ディスクＤ上の欠陥領域について示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『００ｈ』とされ、以降リンクなしとされる。
【００７１】
ポインタP-EMPTY はテーブル部における１又は複数の未使用のパーツテーブルの先頭のパーツテーブルを示すものであり、未使用のパーツテーブルが存在する場合は、ポインタP-EMPTY として、(01h) 〜(FFh) のうちのいづれかが記録される。
未使用のパーツテーブルが複数存在する場合は、ポインタP-EMPTY によって指定されたパーツテーブルからリンク情報によって順次パーツテーブルが指定されていき、全ての未使用のパーツテーブルがテーブル部上で連結される。
【００７２】
ポインタP-FRA は光磁気ディスクＤ上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『００ｈ』となるパーツテーブルまで順次指定されている。
【００７３】
図６にパーツテーブルにより、フリーエリアとなるパーツの管理状態を模式的に示す。これはパーツ(03h)(18h)(1Fh)(2Bh)(E3h) がフリーエリアとされている時に、この状態がポインタP-FRA に引き続きパーツテーブル(03h)(18h)(1Fh)(2Bh)(E3h) のリンクによって表現されている状態を示している。なお上記した欠陥領域や未使用パーツテーブルの管理形態もこれと同様となる。
【００７４】
ポインタP-TNO1〜P-TNO255は、ディスクＤにユーザーが記録を行なった楽曲などのトラックについて示しており、例えばポインタP-TNO1では第１トラックのデータが記録された１又は複数のパーツのうちの時間的に先頭となるパーツが示されたパーツテーブルを指定している。
例えば第１トラックとされた楽曲がディスク上でトラックが分断されずに、つまり１つのパーツで記録されている場合は、その第１トラックの記録領域はポインタP-TNO1で示されるパーツテーブルにおけるスタート及びエンドアドレスとして記録されている。
【００７５】
また、例えば第２トラックとされた楽曲がディスク上で複数のパーツに離散的に記録されている場合は、その第２トラックの記録位置を示すため各パーツが時間的な順序に従って指定される。つまり、ポインタP-TNO2に指定されたパーツテーブルから、さらにリンク情報によって他のパーツテーブルが順次時間的な順序に従って指定されて、リンク情報が『００ｈ』となるパーツテーブルまで連結される（上記、図６と同様の形態）。
このように例えば２曲目を構成するデータが記録された全パーツが順次指定されて記録されていることにより、このＵ−ＴＯＣセクター０のデータを用いて、２曲目の再生時や、その２曲目の領域への上書き記録を行なう際に、光ピックアップ２６及び磁気ヘッド２５をアクセスさせ離散的なパーツから連続的な音楽情報を取り出したり、記録エリアを効率使用した記録が可能になる。
【００７６】
以上のように、書換可能な光磁気ディスクＤについては、ディスク上のエリア管理はＰ−ＴＯＣによってなされ、またレコーダブルユーザーエリアにおいて記録された楽曲やフリーエリア等はＵ−ＴＯＣにより行なわれる。
【００７７】
［Ｕ−ＴＯＣセクター２］
次に、図７でＵ−ＴＯＣセクター２のフォーマットを説明する。
このセクター２は、主にユーザーが録音を行なった楽曲の録音日時を記録するデータ領域とされる。
【００７８】
Ｕ−ＴＯＣセクター２には、記録された各トラックに相当するポインタ部としてポインタP-TRD1〜P-TRD255が用意され、またこのポインタP-TRD1〜P-TRD255によって指定されるスロット部が用意される。スロット部には１単位８バイトで２５５単位のスロット(01h) 〜(FFh) が形成されており、上述したＵ−ＴＯＣセクター０とほぼ同様の形態で日時データを管理する。
【００７９】
スロット(01h) 〜(FFh) には楽曲（トラック）の録音日時が６バイトで記録される。６バイトはそれぞれ１バイトづつ、年、月、日、時、分、秒に相当する数値が記録される。また、残りの２バイトはメーカーコード及びモデルコードとされ、その楽曲を録音した記録装置の製造者を示すコードデータ、及び録音した記録装置の機種を示すコードデータが記録される。
【００８０】
例えばディスクに第１曲目としてがトラックが録音されると、ポインタP-TRD1によって指定されるスロットにはその録音日時及び録音装置のメーカーコード、モデルコードが記録される。録音日時データはシステムコントローラ３２が内部時計を参照して自動的に記録することになる。
【００８１】
またスロット(00h) としての８バイトはディスク単位の録音日時の記録のための専用エリアとされており、ポインタP-TRD(x)によっては指定されないスロットとされている。
なお、このＵ−ＴＯＣセクター２でもポインタP-EMPTY は使用していないスロットを管理するものである。使用されていないスロットについては、モデルコードに代えてリンク情報が記録されており、スロットポインタP-EMPTY を先頭に各未使用のスロットがリンク情報でリンクされて管理されている。
【００８２】
５．ダビング日時情報による処理
本例のオーディオダビング装置としての特徴的な動作として、ディスクＤに記録されたダビング日時情報を利用した処理を説明する。
ダビング日時情報とは、ユーザーが所有するディスクＤに固有に記録されるダビング履歴としての情報であり、少なくとも現時点より過去であって最新のダビング日時を示した情報である。
つまり本例では、ユーザーがディスクＤを記録部２０に装填してコンテンツのダビング動作を行った際に、記録部２０はその日時をダビング日時情報としてディスクＤに記録する。もしくは記録されていたダビング日時情報を更新する。
【００８３】
ダビング日時情報は、ディスクＤにおいて、例えば図４に示したエリアｄＤなどに記録される。
【００８４】
もしくは、このエリアｄＤでなくとも、上述したＵ−ＴＯＣセクター２の情報、つまりトラック毎に記録される録音日時の情報を、ダビング日時情報として扱ってもよい。但し、その場合は各トラックについて、それらがオーディオダビング装置１を用いて記録されたものであるか、ユーザーが所有するミニディスクレコーダで記録されたものであるかを判別する必要がある。
例えばＵ−ＴＯＣセクター２には、トラック録音日時とともに、メーカーコードやモデルコードが記録できるが、オーディオダビング装置１を用いて或るトラックがダビング記録された場合は、メーカーコードやモデルコードとして特定のコードが記録されるようにして判別可能とする。
各トラックについてオーディオダビング装置１を用いて記録されたトラックであるか否かが判別できれば、該当する１又は複数のトラックの録音日時のうちで、最も新しい日時が、本例で用いるダビング日時情報とすることができる。
【００８５】
このようにディスクＤにダビング日時情報が記録されるようにしておくと、ある時にユーザーがダビングを行おうとしてディスクＤを記録部２０に装填した場合、記録部２０がディスクＤに記録されているダビング日時情報を読み込み、それをメインコントローラ１１に転送することで、メインコントローラ１１は、そのディスクＤが用いられて実行された過去のダビング日時として最新の日時（つまり前回のダビングが行われた日時）を確認できる。
メインコントローラ１１は、そのダビング日時情報を用いて、以下詳しく説明するようにユーザーのコンテンツ選択操作を効率的に実行できるような処理を行うことになる。
【００８６】
上述したように、サーバ１２には各コンテンツとしてのＡＴＲＡＣデータが格納されているとともに、各コンテンツに対応して関連データが格納されている。例えば図８のような格納形態が採られている。
即ち多数のコンテンツ（コンテンツナンバ＃１〜＃ｎ）としてのＡＴＲＡＣデータＤａｔ＃１〜Ｄａｔ＃ｎが格納されている場合、各ＡＴＲＡＣデータＤａｔ＃１〜Ｄａｔ＃ｎに対応した関連データとして、格納日（年月日）、曲名（ＮＡ＃１〜ＮＡ＃ｎ）、アーティスト名（ＡＲ＃１〜ＡＲ＃ｎ）、テキストデータ（ＴＸ＃１〜ＴＸ＃ｎ）、画像データ（ＰＩ＃１〜ＰＩ＃ｎ）、付随情報（ＳＢ＃１〜ＳＢ＃ｎ）などが格納されており、ダビング時などに、これらの関連情報をディスプレイ２８やプリンタ装置４７で出力できることは上述したとおりである。
【００８７】
この関連データのうち、格納日とは、或るコンテンツ（楽曲）がサーバ１２に格納され、一般ユーザーへのサービスが開始される日（販売開始となるリリース日）のことである。従って、或るコンテンツがいわゆる新譜か否かを判別できる情報となる。
【００８８】
この図８のようにサーバ１２には多数のコンテンツ及び関連データが格納されているわけであるが、ユーザーは或る曲を購入しようと思った際には、まず自分の持参したディスクＤを記録部２０に装填して、続いて表示部１４でのメニュー表示やリスト表示に従って操作入力部１３で所要の操作を行い、自分の欲する楽曲（コンテンツ）を選択することになる。そして選択されたコンテンツが上述したようにサーバ１２から読み出されて記録部２０に転送され、ディスクＤに記録される。
【００８９】
サーバ１２に非常に多数のコンテンツが格納されていることを考えると、ユーザーのコンテンツ選択操作はなるべく効率的に実行できるようにすることが望まれる。本例では、コンテンツ選択はメニュー形式で行うとともに、ユーザーが新譜の購入を望んだ場合は、そのユーザーにとっての効率的な選択操作ができるようにしている。
【００９０】
このためのメインコントローラ１１の処理を図１０に示す。
ユーザーが持参したディスクＤを記録部２０に装填しダビング実行の操作を行った場合、メインコントローラ１１の処理はまずステップＦ１０１として、表示部１４にコンテンツ選択のためのメニュー表示を実行させる。
例えば図９（ａ）に示すように、新譜リスト、ジャンル別リスト、アーティスト選択などとしてユーザーが所望の方式でコンテンツ検索をできるようにする。
【００９１】
ユーザーがアーティスト選択を選んだ場合は、処理はステップＦ１０２からＦ１０３に進み、アーティスト選択処理を行う。ここでは詳述は避けるが、例えばアーティスト名のリストアップなどで特定のアーティストの選択を求め、ユーザーが或るアーティストを選択したら、そのアーティストの楽曲としてのコンテンツをリストアップし、ダビングすべきコンテンツを選択させるような処理となる。
【００９２】
またユーザーがジャンル別の選択を選んだ場合は、処理はステップＦ１０２からＦ１０４に進み、ジャンル別選択処理を行う。これも詳述は避けるが、例えばポップス、ロック、クラシック、ジャズなどのジャンルをリストアップして選択を求め、ユーザーが或るジャンルを選択したら、そのジャンルに該当する楽曲としてのコンテンツをリストアップし、ダビングすべきコンテンツを選択させるような処理となる。
【００９３】
図９（ａ）のメニュー画面からユーザーが新譜リストによる選択を選んだ場合は、処理はステップＦ１０２からＦ１０５に進み、メインコントローラ１１は、まず装填されているディスクＤにダビング日時情報が記録されているか否かを判別する。
上記のようにダビング日時情報とは、オーディオダビング装置１を用いて前回ダビングを行ったときの日時であり、過去にダビングを行ったディスクであれば、例えば図４に示したエリアｄＤもしくはＵ−ＴＯＣセクター２などに、そのダビング日時情報が記録されている。
一方、バージンディスクであった場合や、バージンディスクではないが、ユーザーが自分のＭＤレコーダなどでの録音に用いていたディスクであった場合、つまりオーディオダビング装置１を用いたダビングを過去に行ったことのないディスクであったときは、ダビング日時情報は記録されていない。
【００９４】
ダビング日時情報が記録されていない場合は、処理をステップＦ１０６に進め、新譜コンテンツをリストアップする。
即ちユーザーが新譜リストの表示を求めたことに対応して、例えば関連データとしての格納日が、現在の日時からさかのぼって特定の期間内となっているコンテンツをリストアップする。仮に新譜とされる期間を３ヶ月とし、現在が１９９８年１月３０日とすると、１９９７年１１月１日以降にリリースされたコンテンツがリストアップされる。
【００９５】
このように新譜のリストアップを行ったらステップＦ１０７として、新譜リストを表示する。即ち図９（ｂ）のように、新譜としてリストアップされたコンテンツの曲名やアーティスト名などをユーザーに提示する。
ユーザーはこのようなリスト表示上で、新譜とされる楽曲の中からダビングしたい楽曲を選択することができ、ユーサーの選択操作が完了されたら、処理はステップＦ１０８からＦ１０９に進んで、実際のダビング処理を行う。即ち選択された１又は複数のコンテンツをサーバ１２から読み出して順次記録部２０に供給し、ディスクＤに記録させる動作を実行する。
【００９６】
コンテンツのダビングが完了したらステップＦ１１０として、ディスクＤにダビング日時情報、即ちその日の日時となる情報をディスクＤに書き込む。つまりシステムコントローラ３２にダビング日時情報書込の指示を出し、記録部２０においてＵ−ＴＯＣデータ等の更新とともにダビング日時情報の書込を実行させる。そして以上の処理を終えたら、ステップＦ１１６でディスクＤを排出させて一連のダビング処理を終える。
【００９７】
ステップＦ１０５で、装填されているディスクＤにダビング日時情報が記録されていたと判断された場合は、処理をステップＦ１１１に進め、記録部２０からそのダビング日時情報を取り込み、そのダビング日時情報で示される日時を基準として新譜コンテンツをリストアップする。
即ちユーザーが過去にオーディオダビング装置１を使用してダビングを行ったのであれば、その前回のダビングの際に、その日までの新譜リストを確認して選択しているため、例えば現在から３ヶ月以内の新譜コンテンツであっても、その前回のダビングを行った日以前にリリースされたコンテンツは、今回のダビングの際に選択される可能性は低いと判断できる。
従って今回ユーザーが新譜リストの表示を求めた場合は、前回のダビング日時から現在までの間にリリースされたコンテンツをリストアップすれば、リストアップされるコンテンツの数を減らすことができ、ユーザーの選択操作を効率化できることになる。
【００９８】
例えば現在が１９９８年１月３０日であって、ユーザーが１９９８年１月５日にダビングを行っていたのであれば（ダビング日時情報が１９９８年１月５日を示していたのであれば）、１９９７年１月６日以降にリリースされたコンテンツがリストアップされる。
【００９９】
このように前回のダビング日時を基準として新譜のリストアップを行ったらステップＦ１１３として、新譜リストを表示する。即ち図９（ｃ）のように、前回のダビング時における新譜コンテンツより追加された新譜コンテンツの曲名やアーティスト名などをユーザーに提示する。
ユーザーはこのようなリスト表示上で、新譜とされる楽曲の中からダビングしたい楽曲を選択することができ、ユーサーの選択操作が完了されたら、処理はステップＦ１１３からＦ１１４に進んで、実際のダビング処理を行う。即ち選択された１又は複数のコンテンツをサーバ１２から読み出して順次記録部２０に供給し、ディスクＤに記録させる動作を実行する。
【０１００】
コンテンツのダビングが完了したらステップＦ１１５として、ディスクＤに新たなダビング日時情報、即ちその日の日時となる情報をディスクＤに書き込む。つまりシステムコントローラ３２にダビング日時情報の更新の指示を出し、記録部２０においてＵ−ＴＯＣデータ等の更新とともにダビング日時情報の更新を実行させる。そして以上の処理を終えたら、ステップＦ１１６でディスクＤを排出させて一連のダビング処理を終える。
【０１０１】
なお、ステップＦ１１１でリストアップされない新譜、つまり前回のダビング時よりも以前にリリースされた楽曲をユーザーが選択したい場合もあるため、そのような場合に通常の新譜リスト（ステップＦ１０７で表示されるリスト）に移行できるような処理を加えることも当然考えられる。
【０１０２】
以上の図１０の処理のように、ユーザーの過去の新譜ダビング実行の日時に応じて、新譜のリストアップを行うことで、ユーザーが新譜ダビングを望んだ際のコンテンツ選択操作を容易化することができる。
【０１０３】
なお、ステップＦ１０３でのアーティスト選択処理やステップＦ１０４のジャンル別選択処理に進んでコンテンツの選択を行い、ダビングを実行した場合は、ダビング日時情報の記録や更新は行わないようにすると、ダビング日時情報は、あくまでも、過去に新譜リストによる選択でのダビングが行われた場合の最新の日時となり、ユーザーにとって適切な新譜リストの表示が可能となる。
但し、アーティスト選択処理やジャンル別選択処理でコンテンツの選択を行い、ダビングを実行した場合においても、ダビング日時情報の記録や更新を行なうような処理方式も考えられる。それらの場合も、ユーザーが新譜リストを確認していることが考えられたり、各ユーザーの希望するコンテンツのアーティストやジャンルはある程度限られることが多いため、必ずしもその後のダビング時のステップＦ１１２で表示される新譜リストは不適切なものとはならないためである。
【０１０４】
６．ディスクＩＤによる処理
続いて、これもユーザーの選択操作を簡易化する処理としてディスクＩＤを利用した処理を説明する。
ディスクＩＤとは、ユーザーが所有するディスクＤに固有に記録される識別コードである。但しユーザーに対して固有の識別コードとしてもよい。
ディスクＩＤは、ディスクＤにおいて、例えば図４に示したエリアｄＤなどに記録される。
もしくは、このエリアｄＤでなくとも、上述したＵ−ＴＯＣセクター０におけるディスクＩＤの情報を、ここでいうディスクＩＤとして扱ってもよい。
【０１０５】
このようにディスクＤにディスクＩＤが記録されるようにしておくと、ある時にユーザーがダビングを行おうとしてディスクＤを記録部２０に装填した場合、記録部２０がディスクＤに記録されているディスクＩＤを読み込み、それをメインコントローラ１１に転送することで、メインコントローラ１１は、そのディスクＤが用いられて実行された過去のダビング履歴（もしくはそのユーザーの過去のダビング履歴）を確認できる。
即ちサーバ１２には、上記図８のようなコンテンツや関連情報以外に、各ディスク又はユーザーに固有のダビング履歴（ユーザー情報）を、ディスクＩＤとともに格納しておくようにする。すると、ディスクＤに記録されたディスクＩＤに基づいてサーバ１２内のユーザー情報を検索することで、そのユーザーのダビング履歴を把握できる。
【０１０６】
サーバ１２に格納されるユーザー情報は、例えば図１１（ａ）に示すようになる。
即ちオーディオダビング装置１を用いてダビング動作が行われる毎に、そのディスクＤに記録されていたディスクＩＤとともにユーザー情報（ＵＤＴ（１）〜ＵＤＴ（ｍ））が格納されていく。
ユーザー情報（ＵＤＴ（１）〜ＵＤＴ（ｍ））は、例えば図１１（ｂ）に示すように、１つのディスクＩＤに対応して、過去の購入曲（ダビングを実行したコンテンツ）のリストや、アーティスト別の購入数などの情報となる。
【０１０７】
この図１１のようにサーバ１２にはディスクＩＤ及びユーザー情報が格納されていることで、ユーザーが或る曲を購入しようと思った際に、そのユーザーに適したリスト表示を行って、ダビングするコンテンツを選択させることができる。
【０１０８】
このためのメインコントローラ１１の処理を図１２に示す。
ユーザーが持参したディスクＤを記録部２０に装填しダビング実行の操作を行った場合、メインコントローラ１１の処理はまずステップＦ２０１として、ディスクＩＤの認識処理を行う。
ディスクＩＤは、ユーザーが新たなディスクＤを用いてオーディオダビング装置１を使用しようとする際に、予め登録操作を行なうことで設定されるようにしてもよいし、そのディスクＤを用いた初回のダビング時に設定されるようにしてもよい。
またディスクＩＤとしてのコードは、ユーザーが任意の数値、文字等を選べるようにしてもよいし、メインコントローラ１１がコードナンバを自動的に設定するものとしてもよい。
ここではメインコントローラ１１が、ディスクＤを用いた初回のダビング時にコードナンバを設定するものとしての例で説明する。
【０１０９】
ディスクＩＤはメインコントローラ１１が設定するものであるとすると、オーディオダビング装置１を用いて過去にダビングを行ったディスクであれば、例えば図４に示したエリアｄＤもしくはＵ−ＴＯＣセクター０などに、そのディスクＩＤが記録されている。
一方、バージンディスクであった場合や、バージンディスクではないが、ユーザーが自分のＭＤレコーダなどでの録音に用いていたディスクであった場合、つまりオーディオダビング装置１を用いたダビングを過去に行ったことのないディスクであったときは、ディスクＩＤは記録されていない。
【０１１０】
ステップＦ２０１の認識処理の結果、ステップＦ２０２としてディスクＩＤがディスクＤに記録されていないと判断された場合は、そのディスクＤは今回が初めてのダビングであると判断して、ステップＦ２０３に進み、まずディスクＩＤの設定及び書き込みを行う。つまり、メインコントローラ１１は装填されているディスクＤに固有のナンバとしてのコードを設定し、それを記録部２０に転送してディスクＤに書き込ませる。なお、この処理は実際のコンテンツのダビング完了後に行うようにしてもよい。
【０１１１】
続いてステップＦ２０４では、表示部１４にコンテンツ選択のためのメニュー表示を実行させる。
例えば上記図９（ａ）で示したように、新譜リスト、ジャンル別リスト、アーティスト選択などとしてユーザーが所望の方式でコンテンツ検索をできるようにする。
詳述は避けるが、ユーザーはメニュー形式で階層をたどっていき、例えば所望のコンテンツを選択することになり、選択が完了されたらステップＦ２０８に進んで実際のダビング処理を行う。即ち選択された１又は複数のコンテンツをサーバ１２から読み出して順次記録部２０に供給し、ディスクＤに記録させる動作を実行する。
【０１１２】
コンテンツのダビングが完了したらステップＦ２０９として、サーバ１２におけるユーザー情報の更新を行う。
つまりこの場合は、今回初めてディスクＩＤが設定されたことになるが、今回ダビングされたコンテンツやアーティストに応じて、そのディスクＩＤに対応させた図１１（ｂ）のようなユーザー情報を生成し、そのユーザー情報をサーバ１２に格納する。
そして以上の処理を終えたら、ステップＦ２１０でディスクＤを排出させて一連のダビング処理を終える。
【０１１３】
初回のダビング時に以上のような処理が行われるため、このオーディオダビング装置１を用いて過去に１回以上のダビングを行ったディスクＤであれば、ステップＦ２０１でのＩＤ認識処理でディスクＩＤが読みとられ、ステップＦ２０２でＩＤ登録有りと判断される。
このため処理はステップＦ２０５に進み、サーバ１２に格納されているユーザー情報に応じたコンテンツのリストアップが行われる。
【０１１４】
サーバ１２にはディスクＩＤに対応して図１１のように過去にダビングした楽曲や、アーティスト別の購入数などがユーザー情報として記録されているため、装填されているディスクＤについての過去のダビング履歴から、今回選択される可能性の高いコンテンツをリストアップすることができる。
例えば購入曲のリストから判断される音楽ジャンルや、過去に購入実績のあったアーティストのコンテンツをリストアップする。より具体的な例としては、購入数の多いアーティストから順に、そのアーティストの曲であって過去にダビングされていない曲をリストアップしていくような処理が考えられる。
【０１１５】
このようにユーザー情報から、そのユーザーの好む音楽がリストアップされることになり、そのようにリストアップされたコンテンツがステップＦ２０６で表示され、ユーザーの選択操作に供される。
ユーザーはこのようなリスト表示上で、ダビングしたい楽曲を選択することになり、ユーザーの選択操作が完了されたら、処理はステップＦ２０７からＦ２０８に進んで、実際のダビング処理を行う。即ち選択された１又は複数のコンテンツをサーバ１２から読み出して順次記録部２０に供給し、ディスクＤに記録させる動作を実行する。
【０１１６】
コンテンツのダビングが完了したらステップＦ２０９として、今回ダビングが行われたコンテンツに応じてサーバ１２内のユーザー情報の更新が行われる。即ちそのディスクＩＤに対応するユーザー情報として、今回ダビングされたコンテンツが購入曲リストとして追加され、またアーティスト別の購入数の更新やソートが行われる。
そして以上の処理を終えたら、ステップＦ２１０でディスクＤを排出させて一連のダビング処理を終える。
【０１１７】
なお、ステップＦ２０６でリストアップされないコンテンツをユーザーが選択したい場合もあるため、そのような場合に通常のメニュー表示処理（ステップＦ２０４）に移行できるような処理を加えることも当然考えられる。
【０１１８】
以上の図１２の処理のように、ユーザーの選択操作の際に、そのユーザー（そのディスクＤ）の過去のダビング履歴としてのユーザー情報にもとづいてリスト表示が行われるようにすることで、ユーザーがダビングしたいと希望する可能性の高いコンテンツを提示することができ、コンテンツ選択操作を効率化できることになる。特に初期メニューからアーティスト別の選択操作などを経ずに所望のアーティストの曲がリストアップされた状態になるなど、ユーザーの操作手順は著しく簡略化される。
【０１１９】
なお、ユーザー情報としての情報種別や、ステップＦ２０５でのリストアップ方式などは各種多様に考えられることはいうまでもない。
また上記例ではディスクＩＤがディスクＤに記録されていない場合は、メインコントローラ１１が自動的にディスクＤにディスクＩＤを記録する処理としたが、上述したようにディスクＩＤはユーザーが登録操作を行なうことに応じてディスクＤに記録されるような方式を採用することも考えられる。この場合は、ステップＦ２０３の処理は不要になるとともに、サーバでのディスクＩＤに対応するユーザー情報の追加・更新（ステップＦ２０８の処理）は、あくまでもディスクＩＤがユーザーによって書き込まれたディスクＤが用いられた場合のみに実行されるようにすればよい。
【０１２０】
また、サーバ１２にユーザー情報を格納していることは、各ユーザーが自分の過去のダビング履歴を確認することも可能となる。
即ちユーザーの要求に応じて、ユーザー情報に基づくデータ、例えば購入曲リストなどをディスプレイ４８に表示させるなどの処理も可能となる。
【０１２１】
ところで、以上のようなディスクＩＤを用いた処理と、前述したダビング日時情報を用いた処理を複合化する処理例も考えられる。
例えば図１２のステップＦ２０４に進んだ際に、ユーザーが新譜リストの表示を求めた場合は、上述したダビング日時情報に基づくリストアップが行われて選択のためのリスト表示が行われるようにする動作例である。
又は、図１０のステップＦ１１１に進んだ場合に、リストアップされる新譜が、ダビング日時情報以降の新譜であって、かつユーザーが過去に購入実績のあるアーティストの曲に限定するような処理も考えられる。
【０１２２】
７．ネットワークを用いたオーディオダビング装置
以上、図１のような構成のオーディオダビング装置について説明してきたが、本発明のオーディオダビング装置は、例えば通信ネットワークを用いても構築できる。
図１３はそのイメージを示すもので、センターサーバ１００が通信ネットワークにより、サーバターミナルを有するＣＤショップ１０１，１０２，１０３や、一般家庭１０４，１０５，１０６などと接続されている。
各サーバターミナルは、例えば上述してきた記録再生部２０のような機能（但し表示部１４、操作入力部１３なども含む）を持ち、一方センターサーバ１００は例えば上述してきたオーディオ送信部１０のような機能を持つ。
これにより、各家庭やＣＤショップなどの店頭から、サーバターミナルを用いてセンターサーバ１００に通信ネットワークを介したダウンロード、つまりコンテンツのダビングが可能となる。
【０１２３】
このようなシステムを構築することにより、より広範囲でかつより手軽な音楽等の提供形態が実現できる。
この場合、ダビング日時情報のディスクへの書込指示やディスクＩＤ及びユーザー情報の格納は、センターサーバ１００側で行うようにすれば、上記図１０、図１２のような処理を通信ネットワークを介して実現できることになる。
【０１２４】
なお、本実施の形態においては、オーディオデータを光磁気ディスクに記録する場合について説明したが、本発明は、オーディオデータに限らず、例えばビデオデータを記録するシステムにも適用できる。
またユーザーが用いる記録媒体としては、ミニディスク等の光磁気ディスクに限らず、他の記録媒体であってもよい。
【０１２５】
【発明の効果】
以上説明してきたように本発明は、ダビング動作によりオーディオデータとしての情報提供を行う際に、記録媒体に記録されたダビング日時情報、即ち過去のダビング日時を基準として、格納手段に格納されているコンテンツのリストアップを行い、リストアップされたコンテンツをユーザーのコンテンツ選択操作のために提示するようにしている。従って、各ユーザーに対応して適切な新譜コンテンツなどを提示でき、ユーザーの選択操作を格段に効率化できるという効果がある。
【０１２６】
また装填された記録媒体にダビング日時情報が記録されていなかった場合は、その際のコンテンツ記録動作に応じて、記録媒体にダビング日時情報を書き込むようにすれば、次回以降のダビング時に、ユーザーにとって効率的な選択操作が可能となる。
【０１２７】
また本発明ではダビング動作によりオーディオデータとしての情報提供を行う際に、記録媒体に記録されている識別コード情報に基づいて格納手段に格納されているダビング履歴情報を検索し、検索されたダビング履歴情報を基準として、格納手段に格納されているコンテンツのリストアップを行い、リストアップされたコンテンツをユーザーのコンテンツ選択操作のために提示するようにしている。従って、ユーザーの好み等に応じて選択される可能性が高いコンテンツをユーザーに提示でき、これもユーザーの選択操作を格段に効率化できるという効果がある。
【０１２８】
また読出手段によって読み出された識別コード情報に対応したダビング履歴情報が格納手段に格納されてされていなかった場合や、識別コード情報が読み出せなかった場合は、履歴更新手段が、識別コード情報に対応したダビング履歴情報を生成して格納手段に格納させる（もしくは識別コードを生成するとともに、その識別コード情報に対応したダビング履歴情報を生成して格納手段に格納させる）ことで、次回以降のダビング時に、ユーザーにとって効率的な選択操作が可能となる。
【図面の簡単な説明】
【図１】本発明の実施の形態のオーディオダビング装置のブロック図である。
【図２】実施の形態のオーディオダビング装置のオーディオ送信部と記録部のブロック図である。
【図３】ミニディスクシステムのクラスタフォーマットの説明図である。
【図４】ミニディスクのエリア構造の説明図である。
【図５】ミニディスクのＵ−ＴＯＣセクタ０の説明図である。
【図６】ミニディスクのＵ−ＴＯＣセクタ０のリンク形態の説明図である。
【図７】ミニディスクのＵ−ＴＯＣセクタ２の説明図である。
【図８】実施の形態のサーバに格納されるコンテンツ及び関連データの説明図である。
【図９】実施の形態のコンテンツ選択のための表示内容の説明図である。
【図１０】実施の形態のダビング日時情報を利用した処理のフローチャートである。
【図１１】実施の形態のサーバに格納されるユーザー情報の説明図である。
【図１２】実施の形態のディスクＩＤを利用した処理のフローチャートである。
【図１３】実施の形態の通信ネットワークを利用した例の説明図である。
【符号の説明】
１  オーディオダビング装置、２  接続ケーブル、１０  オーディオ送信部  １１  メインコントローラ、１２  サーバ、１３  操作入力部、１４  表示部、２０  記録部、３２  システムコントローラ、４１  再生部、４４  通信用インターフェース、４５  光ディスクドライブ、４６  関連情報再生部、４７  プリンタ装置、４８  ディスプレイ、４９  スピーカ
【図１】
0003921783.tif 000002
【図２】
0003921783.tif 000003
【図３】
0003921783.tif 000004
【図４】
0003921783.tif 000005
【図５】
0003921783.tif 000006
【図６】
0003921783.tif 000007
【図７】
0003921783.tif 000008
【図８】
0003921783.tif 000009
【図９】
0003921783.tif 000010
【図１０】
0003921783.tif 000011
【図１１】
0003921783.tif 000012
【図１２】
0003921783.tif 000013
【図１３】
0003921783.tif 000014